(57)【要約】  本発明は、体内プロテーゼにおけるスライド対用のセラミックインサート（１）であって、インサート（１）は外面と内面とを有しており、内面には、球状のスライド相手を受容するための半球状のスライド領域（２）が形成されている、セラミックインサート（１）を説明する。インサートを含む金属シェルの構成深さを減らし、骨盤の骨において必要な削り深さを減らすために、本発明によれば、インサート（１）をリングとしてまたはリング状に形成することが提案される。
2018534082.tif 000002
【特許請求の範囲】
【請求項１】
体内プロテーゼにおけるスライド対用のセラミックインサート（１）であって、前記インサート（１）は外面と内面とを有しており、前記内面には、球状のスライド相手を受容するための半球状のスライド領域（２）が形成されている、セラミックインサート（１）において、
前記インサート（１）はリングとして、またはリング状に形成されていることを特徴とする、セラミックインサート（１）。
【請求項２】
前記インサート（１）は、５〜２０ｍｍの幅（Ｂ）を有している、請求項１記載のインサート。
【請求項３】
前記内面は円弧を介して前記外面に移行している、請求項１または２記載のインサート。
【請求項４】
前記半球状のスライド領域（２）は前記内面全体をカバーしている、請求項１から３までのいずれか１項記載のインサート。
【請求項５】
前記外面の少なくとも部分領域には、円錐状または円筒状に形成されているクランプ面（３）が配置されている、請求項１から４までのいずれか１項記載のインサート。
【請求項６】
股関節用体内プロテーゼ、肩用体内プロテーゼ、つま先用体内プロテーゼ、または膝用体内プロテーゼにおける、請求項１から５までのいずれか１項記載のインサートの使用。
【発明の詳細な説明】
【技術分野】
【０００１】
本発明は、体内プロテーゼにおけるスライド対用のセラミックインサートであって、インサートは外面と内面とを有しており、内面には、球状のスライド相手を受容するための半球状のスライド領域が形成されている、セラミックインサートに関する。
【背景技術】
【０００２】
股関節用体内プロテーゼ内のスライド対用のセラミックインサートは、半球状に形成されており、プロテーゼヘッドの約５０％をカバーしている。スライド面の中心点は、端面の平面上に、または端面の僅かに上方または下方に位置している。
【０００３】
インサートは、赤道における外面上に多かれ少なかれ幅広のクランプ面（円錐状または円筒状）を環状に有しており、このクランプ面でインサートは金属製のシェル（金属シェル）内に装着される（予め装着されている、または術中に装着される）。
【０００４】
極に到るその他の背面は金属シェルに接触していないが、安定性の理由から最低限の肉厚を有していなければならない。
【０００５】
スライド面における大腿骨頭とインサートまたは寛骨臼との間の荷重伝達は、球直径とカップ直径との間に正の隙間が存在しているので、このような対偶においては点状に、または円形面状に行われる。この場合の荷重は、大腿骨頭によって軸平行にインサートに伝達される。
【発明の概要】
【発明が解決しようとする課題】
【０００６】
本発明の課題は、請求項１の上位概念に記載のセラミックインサートを改良して、インサートを含む金属シェルの構成深さを減じて、骨盤の骨において必要な削り深さを減じることである。さらに、点状の荷重ではなく、生理的な荷重吸収のようにより僅かな最大値を有する帯状の荷重であるのが望ましい。さらに、製造の際の材料および正味体積（例えば、炉内の使用スペース）の節約によるコスト上の利点が得られることが望ましい。
【課題を解決するための手段】
【０００７】
本発明によれば、この課題は、請求項１の特徴部によるセラミックインサートによって解決される。
【０００８】
インサートがリングとして、またはリング状に形成されていることにより、球の内側の１つのリング区分を成す構成部分が生じる。後方の終端部は好適には、内面を外面に接続する円弧を介して形成されている。これにより、インサートは、従来のインサートの約半分の構成深さしか有していない。
【０００９】
利点として以下が得られる：
・インサートを含むシェルの構成深さの低減、これにより骨盤の骨において必要な削り深さが減少する。
・点状の荷重ではなく、生理的な荷重吸収のようにより僅かな最大値を有する帯状の荷重。
・製造における材料の節約および正味体積（例えば、炉内の使用スペース）の低減、これによりコスト上の利点が得られる。
【００１０】
本発明による構成では、内面が円弧を介して外面に移行している。このことは、インサートの上端部にも下端部にもあてはまる。したがって、鋭い縁部が生じず、これにより安定性が改善される。
【００１１】
好適には、半球状のスライド領域は、内面全体をカバーしており、これにより内面全体をスライド対のために利用することができる。これにより、構成深さが最小に減じられる。
【００１２】
好適な構成では、外面の少なくとも部分領域には、円錐状または円筒状に形成されたクランプ面が配置されている。このクランプ面は、外側の金属シェルにおける固定のために役立つ。
【００１３】
インサートの外面におけるこのクランプ面は、好適には円錐状または円筒状に形成されているので、インサートは金属シェルに堅固に結合可能である。
【００１４】
好適には、インサートの幅は５〜２０ｍｍである。このような幅の場合に必要な構成スペースは僅かであるが、予期に反してクランプ力は十分である。
【００１５】
本発明によるセラミックインサートはリングとして形成されており、このリングは好適には、上面に、従来のインサートと同じ内側輪郭、端面、およびクランプ面を有しているが、５〜２０ｍｍの幅しか有していない。
【００１６】
図面には、本発明によるセラミックインサートの好適な実施態様が記載されている。
【図面の簡単な説明】
【００１７】
【図１】本発明によるリング状のセラミックインサートを示す図である。
【図２】金属シェル内に装着された本発明によるインサートを示す図である。
【図３】金属シェル内に装着された本発明によるインサートを半球状のスライド領域と共に示す断面図である。
【発明を実施するための形態】
【００１８】
図１ａ）およびｂ）には、本発明によるリング状のセラミックインサート１が示されている。図１のａ）には、このインサート１が１つの視点で示されており、ｂ）にはａ）のＡ−Ａ線に沿った断面図が示されている。インサート１は、半球状のスライド領域２とも呼ばれる、球の内側の１つのリング区分を有している。股関節用プロテーゼでは、このスライド領域２上にプロテーゼヘッドが関節接合する（図２参照）。インサートの外面には環状のクランプ面３が配置されており、このクランプ面でインサートを金属シェル４内に固定することができる。インサートの幅Ｂは５〜２０ｍｍである。符号Ｒは回転軸線を示す。リング状の構成とは、部分領域で回転対称性から逸れているインサートを意味する。
【００１９】
図２には、金属シェル４内に装着された本発明によるインサート１が示されている。このインサート１にはプロテーゼヘッド５が装着されている。
【００２０】
図３には、金属シェル４内に装着された本発明によるインサート１が、球の内側の１つのリング区分または半球状のスライド領域２と共に断面図で示されている。符号３によって、好適には環状のクランプ面が示されている。クランプ面には中断部が存在していてもよい。
【００２１】
この出願においてリングとは、回転軸線Ｒを中心として面Ｆ（図１のｂ）参照）が回転した場合に面Ｆにより形成される物体を意味する。リングの幅Ｂとは、回転軸線Ｒに沿ったリングの延在長さを意味する。リング状とは、部分領域で、回転対称性から逸れた構成を有するリングを意味する。
【図１】
2018534082.tif 000003
【図２】
2018534082.tif 000004
【図３】
2018534082.tif 000005
【国際調査報告】
2018534082.tif 000006
2018534082.tif 000007
2018534082.tif 000008
2018534082.tif 000009
2018534082.tif 000010
2018534082.tif 000011